(57)【要約】【課題】発光を順次に移すことのできるライト器具を提供すること。【解決手段】通電によって発光するライト本体２と、外部に前記所定の信号を発信する発信部４２と、通電がオフの時に外部からの信号を受信する受信部４３と、受信部４３が所定の信号を受信した時に通電をオンにするオン手段４４とを備え、  前記発信部４２は、通電がオンの時に外部に所定の信号を発信し、通電がオフの時に外部に前記所定の信号を発信しない、ライト器具１を提供する。【選択図】図２
2020184470.tif 000002
【特許請求の範囲】
【請求項１】
通電によって発光するライト本体と、
前記通電をオフにするオフボタンと、
外部からの信号を受信する受信部と、
前記受信部が所定の信号を受信した時に前記通電をオンにするオン手段と、
外部に前記所定の信号を発信する発信部とを備え、
前記通電をオンにするオンボタンを備えず、
前記受信部は、前記通電がオフの時に外部からの信号を受信し、
前記発信部は、前記通電がオンの時に外部に前記所定の信号を発信し、前記通電がオフの時に外部に前記所定の信号を発信しないことを特徴とする、ライト器具。
【請求項２】
通電によって発光するライト本体と、
前記通電をオフにするオフボタンと、
外部からの信号を受信する受信部と、
前記受信部が所定の信号を受信した時に前記通電をオンにするオン手段と、
外部に前記所定の信号を発信する発信部と、
前記通電をオンにするオンボタンとを備え、
前記受信部は、前記通電がオフの時に外部からの信号を受信し、
前記発信部は、前記通電がオンの時に外部に前記所定の信号を発信し、前記通電がオフの時に外部に前記所定の信号を発信しないことを特徴とする、ライト器具。
【請求項３】
１の前記ライト器具の前記発信部と他の前記ライト器具の前記受信部との間の通信が、１の前記ライト器具前記発信部と他の前記ライト器具前記受信部とが所定の距離以上に離間している場合には通信を行うことのできない近距離通信であることを特徴とする、請求項１又は２に記載のライト器具。
【請求項４】
前記所定の距離は、１ｃｍ〜３ｃｍであることを特徴とする、請求項３に記載のライト器具。
【請求項５】
前記所定の距離は３０ｃｍ〜５０ｃｍであり、前記発信部と前記受信部との離間距離が前記所定の距離よりも１０ｃｍ以上短い場合には前記通信を行うことを特徴とする、請求項３に記載のライト器具。
【請求項６】
前記発信部と前記受信部とは、いずれも、前記ライト本体との間の距離が、前記所定の距離よりも小さいことを特徴とする、請求項３〜５のいずれか１項に記載のライト器具。
【発明の詳細な説明】
【技術分野】
【０００１】
本発明は、通電する（電流を流す）ことによって発光するライト本体を備え、通電をオン／オフすることのできるライト器具に関する。
【背景技術】
【０００２】
停電時に電灯に替えてローソクを灯すことがある。ローソクの火は、火のついた１のローソクの火を、火のついていない他のローソクの芯に近接させることでて、他のローソクに着火することができる。すなわち、火が、数多くのローソクを順次に移る。
【０００３】
ローソクの火に限らず、例えばオリンピックの聖火リレーでは、火のついた１のトーチの火を、火のついていない他のトーチに移す。このように、火を移して順次に着火することは広く行われ、人々に楽しみをもたらす、イベントを盛り上げる、その他の効果を得ている。
【０００４】
火でなく、通電によって発光するライトについても、同様に発光を順次に移すことで、火と同様の効果を得ることが可能であると考えられる。例えば、特許文献１に示すローソク型のライトで発光を順次に移すことで、ローソクと同様の効果を得るものである。しかし、ライトは通電のオン／オフが他のライトと独立に可能であるため、発光を順次に移すことは行われていなかった。
【先行技術文献】
【特許文献】
【０００５】
【特許文献１】特開２００５−０７８９０５号公報
【発明の概要】
【発明が解決しようとする課題】
【０００６】
本発明は、発光を順次に移すことのできるライト器具を提供することを課題とする。
【課題を解決するための手段】
【０００７】
本発明のライト器具は、
通電によって発光するライト本体と、
前記通電をオフにするオフボタンと、
外部からの信号を受信する受信部と、
前記受信部が所定の信号を受信した時に前記通電をオンにするオン手段と、
外部に前記所定の信号を発信する発信部とを備え、
前記通電をオンにするオンボタンを備えず、
前記受信部は、前記通電がオフの時に外部からの信号を受信し、
前記発信部は、前記通電がオンの時に外部に前記所定の信号を発信し、前記通電がオフの時に外部に前記所定の信号を発信しないことを特徴とする。
【０００８】
この特徴によれば、自らの操作では発光せずに（オンボタンを備えず）、他のライト器具の発光を移されるライト器具を提供することができる。他のライト器具から発行を移されるか否かを「所定の信号」を受信したか否かによって判定するものである。「所定の信号」の詳細については、後述する。
【０００９】
本発明のライト器具は、
通電によって発光するライト本体と、
前記通電をオフにするオフボタンと、
外部からの信号を受信する受信部と、
前記受信部が所定の信号を受信した時に前記通電をオンにするオン手段と、
外部に前記所定の信号を発信する発信部と、
前記通電をオンにするオンボタンとを備え、
前記受信部は、前記通電がオフの時に外部からの信号を受信し、
前記発信部は、前記通電がオンの時に外部に前記所定の信号を発信し、前記通電がオフの時に外部に前記所定の信号を発信しないことを特徴とする。
【００１０】
この特徴によれば、自らの操作で発光し、かつ他のライト器具の発光を移されるライト器具を提供することができる。発光を順次に移すための、起点となる（最初に発行する）ライト器具である。なお、かかるライト器具を用いずに、ライト本体を有さずに所定の信号の発信のみを行う器具を用いることでも、発光を順次に移すことが可能ではある。
【００１１】
本発明のライト器具は、
１の前記ライト器具の前記発信部と他の前記ライト器具の前記受信部との間の通信が、１の前記ライト器具前記発信部と他の前記ライト器具前記受信部とが所定の距離以上に離間している場合には通信を行うことのできない近距離通信であることを特徴とする。
【００１２】
この特徴によれば、火を順次に移すことを模擬し、近接したライト器具の間でのみ発光を移すことができる。ここで、「所定の距離以上に離間している場合には通信を行うことのできない」との表現は、所定の距離以上に離間していない場合には通信を行うことができる」ことを保証しない。例えば所定の距離が３ｃｍである場合に、３ｃｍ以上の離間距離では通信を行うことができない（発光が移らない）が、３ｃｍ未満の離間距離（例えば２．９９ｃｍ）で確実に通信を行うことができる保証をすること（通信を行うことができない距離と通信を行うことができる距離との域値を厳密に設定すること）は困難である。そこで、通信を行うことのできない離間距離のみを要件とした。
【００１３】
本発明のライト器具は、
前記所定の距離は、１ｃｍ〜３ｃｍであることを特徴とする。
【００１４】
この特徴によれば、ローソクを模し、接触するくらいに近接させた場合にのみ発光が移るライト器具を提供することができる。
【００１５】
本発明のライト器具は、
前記所定の距離は３０ｃｍ〜５０ｃｍであり、前記発信部と前記受信部との離間距離が前記所定の距離よりも１０ｃｍ以上短い場合には前記通信を行うことを特徴とする。
【００１６】
この特徴によれば、サイズのある程度大きな聖火トーチ（火が大きい）を模し、多少離れた距離でも発光が移るライト器具を提供することができる。このため、通信を行うことのできない離間距離のみでなく、通信を行うことのできる離間距離をも要件とした。
【００１７】
本発明のライト器具は、
前記発信部と前記受信部とは、いずれも、前記ライト本体との間の距離が、前記所定の距離よりも小さいことを特徴とする。
【００１８】
この特徴によれば、発光が移るか否かについて、ユーザの感覚に近いライト器具を提供することができる。ユーザは、発信部及び送信部の位置でなく、２のライト器具のライト本体の位置が近いことで発光が移ると期待する。そこで、発信部及び送信部の位置を、ライト本体の位置に近づけてユーザの感覚に近いものとする。
【発明の効果】
【００１９】
本発明によれば、火を移すのと同様の感覚で、発光を順次に移すことのできるライト器具を提供することができる。
【図面の簡単な説明】
【００２０】
【図１】図１は、ライト器具を示す図である。（実施例１）
【図２】図２は、基盤を示す図である。（実施例１）
【図３】図３は、発光を移す操作を示す図である。（実施例１）
【図４】図４は、ライト器具を示す図である。（実施例３）
【発明を実施するための形態】
【００２１】
以下、本発明の実施形態について図面を参照して詳細に説明する。
【実施例１】
【００２２】
図１は、ライト器具を示す図である。図1（Ａ）にローソク型のライト器具を示す。ライト器具１は、ライト本体２、把持部３及びオフボタン４１を備え、把持部３の中に基盤４を備えている。ローソク型に合わせ、ライト本体２がローソクの炎の形状、把持部３がローソクの軸の形状となっている。ライト本体２を発光させ、把持部３を持ってライト器具１を使用することができる。
【００２３】
図１（Ｂ）にトーチ型のライト器具を示す。ローソク型のライト器具と同様の構成であるが、聖火リレーに使用されるトーチを模しておりサイズが大きい。図１（Ｂ）において基盤４が図１（Ａ）よりも小さく見えるが、基盤４の実際のサイズは図１（Ａ）と図１（Ｂ）とで同一でよい（ライト器具１の大きな図１（Ｂ）では基盤が小さく描かれている）。
【００２４】
なお、ローソク型、トーチ型以外にも、使用目的に応じて形状・サイズを任意に設計してよい。
【００２５】
図２は、基盤を示す図である。基盤４には、オフボタン４１、発信部４２、受信部４３及び制御部４４が設けられている。また、ライト本体２に接続される電線が接続され、基盤によってライト本体２の通電をオン／オフすることができる。
【００２６】
オフボタン４１は、それを押下することによってライト本体２への通電をオフにする（ライト本体２の発光を止める）ボタンである。なお、オフボタン４１を基盤４の外に設け、基盤４にはオフボタン４１の操作によってオン／オフされるスイッチを設けてもよい。
【００２７】
発信部４２は、信号を発信する。信号は、受信した他機器がライト器具１からの発信であると判定できる所定の信号である。例えば、所定の周波数の赤外線、ライト器具１のＩＤを含むデジタルデータが所定の信号となる。ただし、ライト器具１からの発信であると判定できる限りにおいて他の信号でもよい。」
【００２８】
受信部４３は、他機器からの信号を受信し、それを制御部４４に伝達する。
【００２９】
制御部４４は、オフボタン４１の操作及び受信部４３の受信した信号に基づいて、オン状態とオフ状態とのいずれかを実現する。
【００３０】
オン状態は、電池（非図示）からライト本体２に通電され（ライト本体２が発光し）、発信部４２が所定の信号を発信する状態である。受信部４３は、他機器からの信号を受信してもしなくてもよい。
【００３１】
オン状態は、ライト本体２に通電されず（ライト本体２が消光し）、発信部４２が所定の信号を発信せず、受信部４３が他機器からの信号を受信する状態である。なお、発信部４２は、所定の信号以外の信号を発信してもよい。
【００３２】
図３は、発光を移す操作を示す図である。２つのライト器具１ａと１ｂとがあり、ライト器具１ａはオン状態、ライト器具１ｂはオフ状態である。オン状態であることを、ライト本体２（２ａ、２ｂ）の網掛けで示す。ライト器具１ａからライト器具１ｂに発光を移す（ライト器具１ｂをオン状態にする）手順を示す。
【００３３】
図３（Ａ）に示すように、ライト本体２ａをライト本体２ｂに近づける。ローソクで火を移す時と同様の操作になる。発信部４２ａが受信部４３ｂから所定の距離（図に円形の１点鎖線で示す）に入り、受信部４３ｂが所定の信号を受信する。
【００３４】
ライト器具１ｂの制御部４４ｂにより、ライト器具１ｂがオン状態となる（図３（Ｂ）参照）。
【００３５】
ここで、所定の距離は、本実施例では２ｃｍとする。ライト本体２ａをライト本体２ｂに近づけることで、発信部４２ａが受信部４３ｂから所定の距離に入るものである。なお、使用方法に対応して所定の距離を定めてよい。ローソク型のライト器具１の場合には、１ｃｍ〜３ｃｍの間の距離を所定の距離とすることが好ましい。
【００３６】
また、発信部４２ａ（４２ｂ）及び受信部４３ａ（４３ｂ）はいずれも、ライト本体２ａ（２ｂ）に近接して配され、ライト本体２ａ（２ｂ）の一部が発信部４２ａ（４２ｂ）及び受信部４３ａ（４３ｂ）から所定の距離にある。ライト本体２ａと２ｂとを近づけることで、発信部４２ａが受信部４３ｂから所定の距離に入るように設計したものである。
【００３７】
ここで、所定の距離は、発信部４２と受信部４３との通信方法、発信部４２の電波強度を設計して設定することができる。トーチ型のライト器具１においては、トーチの大きさに合わせて３０ｃｍ〜５０ｃｍとすることができる。また、トーチ型のライト器具１においては、発信部４２ａと受信部４３ｂとの間に空間があると考えられるので、所定の距離よりもさらに１０ｃｍ近づいた場合には確実に通信を行えることが好ましい。
【００３８】
発信部４２と受信部４３との通信方法は、赤外線通信、ブルートゥース（登録商標）、その他から選択することができる。ここで、所定の距離を１ｃｍ〜３ｃｍとするには、赤外線通信が適している。
【００３９】
また、直接的にデータ通信を行わずに、発信部が受信部に近接したことを判断できればよい。例えば、発信部を磁石とし受信部をコイルとして誘導電流によって判断してもよい。また、発信部及び受信部の双方を電極として接触によって判断してもよい（所定の距離＝０ｃｍ）。
【００４０】
以上、発信部４２がオン状態で動作しオフ状態で動作せず、受信部４３がオフ状態で動作しオン状態で動作しないものとして説明した。ただし、オフ状態で発信部４２を動作させることや、オン状態で受信部４３を動作させることも可能である・
【００４１】
発信部４２がオフ状態で動作しても、送信するデータにオン状態であるかオフ状態であるかを含めれば問題ない。オン状態であるデータを含む信号が「所定の信号」であり、オフ状態であるデータを含む信号は「所定の信号」ではないものとして取り扱えば、同様の動作が可能である。
【００４２】
受信部４３がオン状態で動作して、所定の信号を受信しても、オン状態は保たれるので、同様の動作が可能である。また、オン状態で所定の信号を受信した場合にはライト本体２の光量を増やすなど、火では実現できないライトの特性を活用した応用も考えられる。
【００４３】
以上詳細に説明したように、本実施例のライト器具１は、ローソクやトーチのようにしてライト本体２の発光を他のライト器具１に移すこと、他のライト器具１から移されることができる。また、オフ状態をオン状態にすることが、他のライト器具１から発光を移されることのみによって実現されるので、発光を移すことが必然的に行われ、種々の楽しみ方ができる。
【実施例２】
【００４４】
本実施例は、オンボタンを備えたライト器具１を説明するものである。オンボタン以外については、実施例１と同様であり、詳細な説明を省略する。
【００４５】
実施例１に示したライト器具１にオンボタン（非図示）を加える、オンボタンは、オフボタン４１の左脇（右脇、上脇、下脇でもよい）に設けることができる。
【００４６】
制御部４４は、オンボタン４１の操作に基づいて、オン状態を実現する。
【００４７】
以上説明したように、本実施例のライト器具１は、受信部を介して信号を受信しなくとも、オンボタンの操作によってオン状態とすることができる。多数の者が順次に発光を移す場合に、起点となる１人が本実施例のライト器具１を持ち、他の者が実施例１のライト器具１を持つことで、起点となる１人のライト器具１を発光させて後に順次に発光を移すことができる。
【実施例３】
【００４８】
本実施例は、把持部３の形態が異なるものである。他の点については、実施例１、２と同様であり、詳細な説明を省略する。
【００４９】
図４は、ライト器具を示す図である。ライト器具１の把持部３はバルーンであり、中空の内部にライト本体２及び基盤４が備えられている。
【００５０】
以上説明したように、本実施例のライト器具１は、バルーン上であり、水に浮かせて使用することができる。２以上のライト器具１を水に浮かせると、ライト器具１が浮遊して、近接したり離間したりする。近接した時に発光が移され、発光が徐々に拡がっていく。ローソクやトーチの火を移すような操作がないので、発信部４２及び受信部４３をライト本体２に近接させる必要がなく、図のようにバルーンの周縁に設けてもよい。
【産業上の利用可能性】
【００５１】
本発明に係るライト器具１は、発光を移すことができ、種々の効果を得ることができる。多くの場面での利用が考えられる。
【符号の説明】
【００５２】
１    ライト器具
２    ライト本体
３    把持部
４    基盤
４１  オフボタン
４２  発信部
４３  受信部
４４  制御部（オン手段）
【図１】
2020184470.tif 000003
【図２】
2020184470.tif 000004
【図３】
2020184470.tif 000005
【図４】
2020184470.tif 000006